(57)【要約】【課題】温風暖房機の運転報知のための点灯表示において、点灯輝度があらゆる条件に適合すべく一定量であるため、使用条件や環境によっては明る過ぎるなどの不快感を与えることがあった。特に、就寝時の暗い部屋では一際目立つことが多かった。【解決手段】本発明は就寝時に使用頻度の多いタイマー運転選択時に限り、点灯表示の輝度を通常運転時より一定量低減するものである。【選択図】　図１
2004144362.tif 000002
【特許請求の範囲】
【請求項１】
燃料を燃焼するバーナーと、外部の空気を取込む空気吸込口と、前記バーナーによる燃焼ガスと外部の空気とを混合する燃焼室と、その混合された空気を温風として送出す対流用ファンと、温風吹出口と、運転操作を行う手段かつ光を通す特性を有する運転ボタンと、前記運転ボタンを介して運転のオンオフを信号に変換する運転制御スイッチと、前記運転ボタンの内側に位置する光源装置と、前記光源装置の輝度を制御する輝度制御装置とを備えた温風暖房機において、運転中のみ点灯する前記光源装置の光の輝度をタイマー運転選択時のみ低下させて点灯することを特徴とする運転表示装置。
【請求項２】
運転中のみ点灯する前記光源装置の光の輝度を調整できる輝度調整装置を温風暖房機表面の操作部に備えたことを特徴とする請求項１記載の運転表示装置。
【請求項３】
運転中のみ点灯する前記光源装置の光の輝度を運転能力により段階的に変化させることを特徴とする請求項１記載の運転表示装置。
【発明の詳細な説明】
【０００１】
【発明の属する技術分野】
本発明は温風暖房機の運転表示に関するものである。
【０００２】
【従来の技術】
従来の温風暖房機の運転表示装置において、図６はの構成、図７はシーケンスを示す。
【０００３】
図６において、燃料の供給量を調整する燃料量調整装置１、その燃料の燃焼を行うバーナー２、その燃焼により発生した高温の排ガス３と器具後方にある空気吸込口４より取入れた外部の空気５とを混合する燃焼室６、バーナー２の下方には器具前方下部にある温風吹出口７より温風８を送出すための対流ファン９、運転操作を行う手段かつ光を通す特性を有する運転ボタン１０、運転ボタン１０の下に位置して運転オンオフの信号に変換する運転スイッチ１１、運転ボタン１０の内部に位置して運転中のみ点灯する光源装置１２、光源装置１２の光の輝度を決定する輝度制御装置１３で構成されている。
【０００４】
次に図７において、運転開始時、運転ボタン１０をオンすると、その信号によりバーナー２に燃料が供給されて点火し、その点火の検知により光源装置１２が点灯し、その光が運転ボタン１０を通して点灯表示する。その際、光源装置１２の点灯する光の輝度は輝度制御装置１３で一定に保たれている。
【０００５】
また運転停止時は運転開始時と逆に、運転ボタン１０をオフするとその信号によりバーナー２への燃料供給が停止されて消火し、その消火検知により輝度制御装置１３が輝度０の制御を行い、つまり光源装置１２が消灯し、運転ボタン１０も消灯表示する。
【０００６】
【発明が解決しようとする課題】
しかしながら、前記作用では、運転ボタンを通した光の輝度がユーザーによっては明るすぎて気になる場合があるという課題を有していた。
【０００７】
特に、使用する室内の条件が暗い場合や就寝においては運転ボタンの光が一際目立つことがあり、不快感を与える場合があった。
【０００８】
これは、あらゆる使用条件、つまり明るい場合と暗い場合ともに運転ボタンの点灯表示が明確になるような一定量の輝度に設定しているためであり、極端な条件下では幾分犠牲になる部分も出てくる場合が考えられる。
【０００９】
【課題を解決するための手段】
本発明は前記従来の課題を解決するために、本発明の温風暖房機の運転表示装置は、運転中、従来同様に点灯している運転ボタンを介した光源装置の光の輝度をタイマー運転を選択した場合のみ、一定量低下させる制御を行う。
【００１０】
これにより、タイマー運転使用の頻度の高い就寝時、つまり暗い部屋での使用時、運転ボタン光の目立ち度合が低減されて不快感も低減される。
【００１１】
【発明の実施の形態】
請求項１記載の発明は、燃料を燃焼するバーナーと、外部の空気を取込む空気吸込口と、前記バーナーによる燃焼ガスと外部の空気とを混合する燃焼室と、その混合された空気を温風として送出す対流用ファンと、温風吹出口と、運転操作を行う手段かつ光を通す特性を有する運転ボタンと、前記運転ボタンを介して運転のオンオフを信号に変換する運転制御スイッチと、前記運転ボタンの内側に位置する光源装置と、前記光源装置の輝度を制御する輝度制御装置とを備えた温風暖房機において、運転中のみ点灯する前記光源装置の光の輝度をタイマー運転選択時のみ低下させて点灯するものである。
【００１２】
請求項２記載の発明は、運転中のみ点灯する前記光源装置の光の輝度を調整できる輝度調整装置を温風暖房機表面の操作部に備えたものである。
【００１３】
請求項３記載の発明は、運転中のみ点灯する前記光源装置の光の輝度を運転能力により段階的に変化させるものである。
【００１４】
【実施例】
以下本発明の実施例について、図面を参照しながら説明する。
【００１５】
（実施例１）
本発明の第１の実施例において、温風暖房機の基本構成は従来例と同様のため省略する。
【００１６】
図１は、本発明の第１の実施例の運転表示装置のフローチャートを示すものである。
【００１７】
図１において、運転開始時、運転ボタン１０をオンすると、その信号によりバーナー２に燃料が供給されて点火し、その点火の検知により光源装置１２が点灯し、その光が運転ボタン１０を通して点灯表示する。その際の輝度制御装置１３で制御される光源装置１２の輝度において、運転モードがタイマー運転モードで無ければ通常運転時の輝度＝Ｘで点灯し、タイマー運転モードであれば通常運転時の輝度＝Ｘより低い輝度＝Ｙで点灯する。
【００１８】
その後も、運転モードが変更になれば輝度量が変更になる。
【００１９】
また運転停止時は運転開始時と逆に、運転ボタン１０をオフすると、その信号によりバーナー２への燃料供給が停止されて消火し、その消火検知により輝度制御装置１３が輝度０の制御を行い、つまり光源装置１２が消灯し、運転ボタン１０も消灯表示する。
【００２０】
（実施例２）
本発明の第２の実施例において、図２は温風暖房機の基本構成図、図３は運転表示装置のフローチャートを示すものである。
【００２１】
図２において、温風暖房機の基本構成は従来例とほぼ同様で説明は省略するが、温風暖房機表面の操作部に輝度調整装置１４を設けたものである。
【００２２】
図３において、運転開始時、運転ボタン１０をオンすると、その信号によりバーナー２に燃料が供給されて点火し、その点火の検知により光源装置１２が点灯し、その光が運転ボタン１０を通して点灯表示する。その際の輝度制御装置１３で制御される光源装置１２の輝度は輝度＝Ｘにて点灯する。
【００２３】
その後、輝度調整装置１４にて輝度の調整が可能であり、輝度＝Ｘより低減方向に輝度＝Ｙまでの間で好みの量に自由に調整することができる。
【００２４】
（実施例３）
本発明の第３の実施例において、図４は運転表示装置のフローチャート、図５は運転能力と輝度相関グラフを示すものである。
【００２５】
温風暖房機の基本構成は従来例と同様であるために説明は省略する。
【００２６】
図４において、運転開始時、運転ボタン１０をオンすると、その信号によりバーナー２に燃料が供給されて点火し、その点火の検知により光源装置１２が点灯し、その光が運転ボタン１０を通して点灯表示する。その際の輝度制御装置１３で制御される光源装置１２の輝度は輝度＝Ｘ７にて点灯する。
【００２７】
その後、温度調節領域に入ると、運転能力に応じた輝度量で光源装置１２が輝度制御装置１３にて制御されて点灯する。
【００２８】
図５において、上記温度調節領域に入った時の輝度量と運転能力とを表したグラフであり、運転能力が上昇するに応じて輝度量も比例的に上昇する傾向をもつ。
【００２９】
【発明の効果】
以上のように本発明によれば、運転を報知するための運転ボタンの点灯表示を行う上で、点灯輝度の明るさが使用条件や環境によっては明るすぎるなどの不快感を回避するものであり、また温度調節領域などの暖房運転を比較的意識しない状況下での点灯表示の存在感を低減するものである。
【図面の簡単な説明】
【図１】本発明の実施例１における運転表示装置のフローチャート
【図２】本発明の実施例２における温風暖房機の基本構成図
【図３】本発明の実施例２における運転表示装置のフローチャート
【図４】本発明の実施例３における運転表示装置のフローチャート
【図５】本発明の実施例３における運転能力と輝度相関グラフを示す図
【図６】従来の温風暖房機の基本構成図
【図７】従来の運転表示装置のフローチャート
【符号の説明】
１　燃料量調整装置
２　バーナー
３　排ガス
４　空気吸込口
５　外部の空気
６　燃焼室
７　温風吹出口
８　温風
９　対流ファン
１０　運転ボタン
１１　運転スイッチ
１２　光源装置
１３　輝度制御装置
【図１】
2004144362.tif 000003
【図２】
2004144362.tif 000004
【図３】
2004144362.tif 000005
【図４】
2004144362.tif 000006
【図５】
2004144362.tif 000007
【図６】
2004144362.tif 000008
【図７】
2004144362.tif 000009